【手続補正書】
【提出日】平成24年1月20日(2012.1.20)
【手続補正１】
【補正対象書類名】特許請求の範囲
【補正対象項目名】全文
【補正方法】変更
【補正の内容】
【特許請求の範囲】
【請求項１】
記録材に対して画像形成を行う画像形成装置に含まれる複数の負荷の制御動作をシミュレーションするシミュレーション手段と、前記シミュレーション手段によるシミュレーションのログを検証する検証手段とを備える情報処理装置であって、
前記シミュレーション手段は、
前記画像形成装置における画像形成条件をシミュレーション条件として設定する第１の設定手段と、
前記シミュレーション条件に基づいて、記録材に画像を転写する転写部への記録材の搬送タイミングに合わせて前記画像形成装置の各負荷を制御する制御動作をシミュレーションし、該シミュレーションのログとして、各負荷の制御状態を示す出力値を時系列に出力するシミュレーション実行手段と
を備え、
前記検証手段は、
前記シミュレーション実行手段による前記出力値が出力されたタイミングにおいて、各負荷における処理が実行されたか否かを該出力値に基づいて判定するための第１の基準と、前記記録材上で画像が形成される位置である画像形成領域が正当であるか否かを判定するための第２の基準と、を設定する第２の設定手段と、
前記シミュレーション実行手段による時系列の前記出力値を参照し、該出力値のうち、前記転写部に前記記録材が到達するタイミングの算出基準となる信号を検出する信号検出手段と、
前記信号検出手段により、前記信号が検出されると、前記記録材が転写部に到達するタイミングを算出し、算出されたタイミングにおいて、各負荷に対応する時系列の前記出力値を参照し、該出力値の各々が前記第１の基準を満たしているか否かを判定し、各負荷において処理が実行された期間を特定する第１の特定手段と、
前記第１の特定手段により特定された各負荷の前記期間に基づいて、前記画像形成領域を特定する第２の特定手段と、
前記第２の特定手段により特定された前記画像形成領域が、前記第２の基準を満たしているか否かを判定する判定手段と、
前記判定手段により、前記第２の基準を満たしていると判定された場合には、前記シミュレーション手段によるシミュレーション結果が正当であることを示す情報を出力し、前記第２の基準を満たしていないと判定された場合には、前記シミュレーション手段によるシミュレーション結果が正当ではないことを示す情報を出力する出力手段と
を備えることを特徴とする情報処理装置。
【請求項２】
前記第２の特定手段は、
前記記録材が前記転写部へ到達するタイミングと、前記期間において形成された画像が前記転写部へ到達するタイミングとを比較することにより、前記画像形成領域を特定することを特徴とする請求項１に記載の情報処理装置。
【請求項３】
前記第２の基準は、
前記記録材の搬送方向に対する前記画像形成領域の先端及び後端が、前記記録材の先端及び後端から予め定められた範囲に存在し、かつ、前記画像形成領域の先端と後端との間に、画像を形成しない領域が存在しない場合に、前記画像形成領域が正当であると判定する基準であることを特徴とする請求項１又は２に記載の情報処理装置。
【請求項４】
前記第１の設定手段は、
複数の前記画像形成条件に対応して、複数の前記シミュレーション条件を設定し、
前記第２の設定手段は、
前記シミュレーション実行手段による時系列の前記出力値を参照し、該出力値から識別した前記画像形成条件の変化に対応して、前記第１の基準を設定することを特徴とする請求項１乃至３の何れか１項に記載の情報処理装置。
【請求項５】
前記シミュレーション実行手段は、
シミュレーションのログとして、各負荷の制御状態を示す時系列の前記出力値をリアルタイムに出力し、
前記検証手段は、
前記シミュレーション実行手段が出力した前記出力値を、リアルタイムに入力し、検証することを特徴とする請求項１乃至４の何れか１項に記載の情報処理装置。
【請求項６】
前記検証手段は、
前記シミュレーション実行手段によるシミュレーションにおいて、１頁の記録材の画像形成に要する所要時間を算出する算出手段を更に備え、
前記信号検出手段により前記信号が検出された後、前記所要時間が経過するタイミングから、前記第１の特定手段による処理を開始することを特徴とする請求項５に記載の情報処理装置。
【請求項７】
記録材に対して画像形成を行う画像形成装置に含まれる複数の負荷の制御動作をシミュレーションするシミュレーション手段と、前記シミュレーション手段によるシミュレーションのログを検証する検証手段とを備える情報処理装置であって、
前記シミュレーション手段は、
前記画像形成装置における画像形成条件をシミュレーション条件として設定する第１の設定手段と、
前記シミュレーション条件に基づいて、記録材に画像を転写する転写部への記録材の搬送タイミングに合わせて前記画像形成装置の各負荷を制御する制御動作をシミュレーションし、該シミュレーションのログとして、各負荷の制御状態を示す出力値を時系列に出力するシミュレーション実行手段と
を備え、
前記検証手段は、
前記シミュレーション実行手段による前記出力値が出力されたタイミングにおいて、各負荷の前記出力値に変化が生じた際に、当該変化が生じたタイミングと該出力値とが正当であるか否かを判定するための第１の基準を設定する第２の設定手段と、
前記シミュレーション実行手段による時系列の前記出力値を参照し、該出力値のうち、垂直同期信号を検出する信号検出手段と、
前記信号検出手段により、前記垂直同期信号が検出されると、各負荷に対応する時系列の前記出力値を参照し、該出力値に変化が生じたことを検出する変化検出手段と、
前記変化検出手段により前記出力値に生じた変化が検出されるごとに、当該変化のタイミングと、該出力値とが、前記第１の基準を満たしているか否かを判定する第１の判定手段と、
前記第１の判定手段による判定の結果、前記出力値の時系列における全ての変化のタイミングと、各タイミングにおける全ての前記出力値とが、前記第１の基準を満たしていると判定された場合には、前記シミュレーション手段によるシミュレーション結果が正当であることを示す情報を出力し、前記出力値の時系列における何れかの変化のタイミング又は当該タイミングにおける前記出力値が、前記第１の基準を満たしていないと判定された場合には、前記シミュレーション手段によるシミュレーション結果が正当でないことを示す情報を出力する出力手段と
を備えることを特徴とする情報処理装置。
【請求項８】
前記第２の設定手段は、
前記シミュレーション実行手段による前記出力値が出力されたタイミングにおいて、前記各負荷の前記出力値に変化が生じた際に、当該負荷と関連する他の負荷において、当該変化が生じたタイミングにおける前記他の負荷における前記出力値が正当であるか否かを判定するための第２の基準を更に設定し、
前記検証手段は、
前記変化検出手段により前記出力値に生じた変化が検出されるごとに、当該変化が検出された負荷と関連する前記他の負荷において、当該変化が生じたタイミングにおける前記出力値が前記第２の基準を満たしているか否かを判定する第２の判定手段を更に備え、
前記出力手段は、
前記第２の判定手段による判定の結果、前記出力値のうち何れかが前記第２の基準を満たしていない場合に、前記シミュレーション手段によるシミュレーション結果が正当でないことを示す情報を出力することを特徴とする請求項７に記載の情報処理装置。
【請求項９】
前記第１の設定手段は、
各負荷の制御状態に変化が生じた際に、変化前の状態から変化後の状態へ移行する際の遅延時間を、前記シミュレーション条件として更に設定し、
前記シミュレーション実行手段は、
前記シミュレーション条件に基づくシミュレーションの実行中に、各負荷の制御状態が変化する際の前記遅延時間において、各負荷の出力値が不定であることを示す情報を出力し、
前記第２の判定手段は、
前記変化検出手段により前記出力値に生じた変化が検出されるごとに、当該変化が検出された負荷と関連する前記他の負荷において、当該変化が生じたタイミングにおける前記出力値が不定である場合に、前記第２の基準を満たしているか否かを判定することを特徴とする請求項８に記載の情報処理装置。
【請求項１０】
前記第１の設定手段は、
複数の前記画像形成条件に対応して、複数の前記シミュレーション条件を設定し、
前記第２の設定手段は、
前記シミュレーション実行手段による時系列の前記出力値を参照し、該出力値から識別した前記画像形成条件の変化に対応して、前記第１の基準を設定することを特徴とする請求項７乃至９の何れか１項に記載の情報処理装置。
【請求項１１】
前記シミュレーション実行手段は、
シミュレーションのログとして、各負荷の制御状態を示す時系列の前記出力値をリアルタイムに出力し、
前記検証手段は、
前記シミュレーション実行手段が出力した前記出力値を、リアルタイムに入力し、検証することを特徴とする請求項７乃至１０の何れか１項に記載の情報処理装置。
【請求項１２】
記録材に対して画像形成を行う画像形成装置に含まれる複数の負荷の制御動作をシミュレーションするシミュレーション装置と、前記シミュレーション装置によるシミュレーションのログを検証する検証装置とを備える情報処理システムであって、
前記シミュレーション装置は、
前記画像形成装置における画像形成条件をシミュレーション条件として設定する第１の設定手段と、
前記シミュレーション条件に基づいて、記録材に画像を転写する転写部への記録材の搬送タイミングに合わせて前記画像形成装置の各負荷を制御する制御動作をシミュレーションし、該シミュレーションのログとして、各負荷の制御状態を示す出力値を時系列に出力するシミュレーション実行手段と
を備え、
前記検証装置は、
前記シミュレーション実行手段による前記出力値が出力されたタイミングにおいて、各負荷における処理が実行されたか否かを該出力値に基づいて判定するための第１の基準と、前記記録材上で画像が形成される位置である画像形成領域が正当であるか否かを判定するための第２の基準と、を設定する第２の設定手段と、
前記シミュレーション実行手段による時系列の前記出力値を参照し、該出力値のうち、前記転写部に前記記録材が到達するタイミングの算出基準となる信号を検出する信号検出手段と、
前記信号検出手段により、前記信号が検出されると、前記記録材が転写部に到達するタイミングを算出し、算出されたタイミングにおいて、各負荷に対応する時系列の前記出力値を参照し、該出力値の各々が前記第１の基準を満たしているか否かを判定し、各負荷において処理が実行された期間を特定する第１の特定手段と、
前記第１の特定手段により特定された各負荷の前記期間に基づいて、前記画像形成領域を特定する第２の特定手段と、
前記第２の特定手段により特定された前記画像形成領域が、前記第２の基準を満たしているか否かを判定する判定手段と、
前記判定手段により、前記第２の基準を満たしていると判定された場合には、前記シミュレーション装置によるシミュレーション結果が正当であることを示す情報を出力し、前記第２の基準を満たしていないと判定された場合には、前記シミュレーション装置によるシミュレーション結果が正当ではないことを示す情報を出力する出力手段と
を備えることを特徴とする情報処理システム。
【請求項１３】
記録材に対して画像形成を行う画像形成装置に含まれる複数の負荷の制御動作をシミュレーションするシミュレーション装置と、前記シミュレーション装置によるシミュレーションのログを検証する検証装置とを備える情報処理システムであって、
前記シミュレーション装置は、
前記画像形成装置における画像形成条件をシミュレーション条件として設定する第１の設定手段と、
前記シミュレーション条件に基づいて、記録材に画像を転写する転写部への記録材の搬送タイミングに合わせて前記画像形成装置の各負荷を制御する制御動作をシミュレーションし、該シミュレーションのログとして、各負荷の制御状態を示す出力値を時系列に出力するシミュレーション実行手段と
を備え、
前記検証装置は、
前記シミュレーション実行手段による前記出力値が出力されたタイミングにおいて、各負荷の前記出力値に変化が生じた際に、当該変化が生じたタイミングと該出力値とが正当であるか否かを判定するための第１の基準を設定する第２の設定手段と、
前記シミュレーション実行手段による時系列の前記出力値を参照し、該出力値のうち、垂直同期信号を検出する信号検出手段と、
前記信号検出手段により、前記垂直同期信号が検出されると、各負荷に対応する時系列の前記出力値を参照し、該出力値に変化が生じたことを検出する変化検出手段と、
前記変化検出手段により前記出力値に生じた変化が検出されるごとに、当該変化のタイミングと、該出力値とが、前記第１の基準を満たしているか否かを判定する第１の判定手段と、
前記第１の判定手段による判定の結果、前記出力値の時系列における全ての変化のタイミングと、各タイミングにおける全ての前記出力値とが、前記第１の基準を満たしていると判定された場合には、前記シミュレーション装置によるシミュレーション結果が正当であることを示す情報を出力し、前記出力値の時系列における何れかの変化のタイミング又は当該タイミングにおける前記出力値が、前記第１の基準を満たしていないと判定された場合には、前記シミュレーション装置によるシミュレーション結果が正当でないことを示す情報を出力する出力手段と
を備えることを特徴とする情報処理システム。
【請求項１４】
記録材に対して画像形成を行う画像形成装置に含まれる複数の負荷の制御動作をシミュレーションするシミュレーション手段と、前記シミュレーション手段によるシミュレーションのログを検証する検証手段とを備える情報処理装置の制御方法であって、
前記シミュレーション手段は、
前記画像形成装置における画像形成条件をシミュレーション条件として設定する第１の設定ステップと、
前記シミュレーション条件に基づいて、記録材に画像を転写する転写部への記録材の搬送タイミングに合わせて前記画像形成装置の各負荷を制御する制御動作をシミュレーションし、該シミュレーションのログとして、各負荷の制御状態を示す出力値を時系列に出力するシミュレーション実行ステップと
を実行し、
前記検証手段は、
前記シミュレーション実行ステップによる前記出力値が出力されたタイミングにおいて、各負荷における処理が実行されたか否かを該出力値に基づいて判定するための第１の基準と、前記記録材上で画像が形成される位置である画像形成領域が正当であるか否かを判定するための第２の基準と、を設定する第２の設定ステップと、
前記シミュレーション実行ステップによる時系列の前記出力値を参照し、該出力値のうち、前記転写部に前記記録材が到達するタイミングの算出基準となる信号を検出する信号検出ステップと、
前記信号検出ステップにより、前記信号が検出されると、前記記録材が転写部に到達するタイミングを算出し、算出されたタイミングにおいて、各負荷に対応する時系列の前記出力値を参照し、該出力値の各々が前記第１の基準を満たしているか否かを判定し、各負荷において処理が実行された期間を特定する第１の特定ステップと、
前記第１の特定ステップにより特定された各負荷の前記期間に基づいて、前記画像形成領域を特定する第２の特定ステップと、
前記第２の特定ステップにより特定された前記画像形成領域が、前記第２の基準を満たしているか否かを判定する判定ステップと、
前記判定ステップにより、前記第２の基準を満たしていると判定された場合には、前記シミュレーション手段によるシミュレーション結果が正当であることを示す情報を出力し、前記第２の基準を満たしていないと判定された場合には、前記シミュレーション手段によるシミュレーション結果が正当ではないことを示す情報を出力する出力ステップと
を実行することを特徴とする情報処理装置の制御方法。
【請求項１５】
記録材に対して画像形成を行う画像形成装置に含まれる複数の負荷の制御動作をシミュレーションするシミュレーション手段と、前記シミュレーション手段によるシミュレーションのログを検証する検証手段とを備える情報処理装置の制御方法であって、
前記シミュレーション手段は、
前記画像形成装置における画像形成条件をシミュレーション条件として設定する第１の設定ステップと、
前記シミュレーション条件に基づいて、記録材に画像を転写する転写部への記録材の搬送タイミングに合わせて前記画像形成装置の各負荷を制御する制御動作をシミュレーションし、該シミュレーションのログとして、各負荷の制御状態を示す出力値を時系列に出力するシミュレーション実行ステップと
を実行し、
前記検証手段は、
前記シミュレーション実行ステップによる前記出力値が出力されたタイミングにおいて、各負荷の前記出力値に変化が生じた際に、当該変化が生じたタイミングと該出力値とが正当であるか否かを判定するための第１の基準を設定する第２の設定ステップと、
前記シミュレーション実行ステップによる時系列の前記出力値を参照し、該出力値のうち、垂直同期信号を検出する信号検出ステップと、
前記信号検出ステップにより、前記垂直同期信号が検出されると、各負荷に対応する時系列の前記出力値を参照し、該出力値に変化が生じたことを検出する変化検出ステップと、
前記変化検出ステップにより前記出力値に生じた変化が検出されるごとに、当該変化のタイミングと、該出力値とが、前記第１の基準を満たしているか否かを判定する第１の判定ステップと、
前記第１の判定ステップによる判定の結果、前記出力値の時系列における全ての変化のタイミングと、各タイミングにおける全ての前記出力値とが、前記第１の基準を満たしていると判定された場合には、前記シミュレーション手段によるシミュレーション結果が正当であることを示す情報を出力し、前記出力値の時系列における何れかの変化のタイミング又は当該タイミングにおける前記出力値が、前記第１の基準を満たしていないと判定された場合には、前記シミュレーション手段によるシミュレーション結果が正当でないことを示す情報を出力する出力ステップと
を実行することを特徴とする情報処理装置の制御方法。
【請求項１６】
記録材に対して画像形成を行う画像形成装置に含まれる複数の負荷の制御動作をシミュレーションするシミュレーション装置と、前記シミュレーション装置によるシミュレーションのログを検証する検証装置とを備える情報処理システムの制御方法であって、
前記シミュレーション装置は、
前記画像形成装置における画像形成条件をシミュレーション条件として設定する第１の設定ステップと、
前記シミュレーション条件に基づいて、記録材に画像を転写する転写部への記録材の搬送タイミングに合わせて前記画像形成装置の各負荷を制御する制御動作をシミュレーションし、該シミュレーションのログとして、各負荷の制御状態を示す出力値を時系列に出力するシミュレーション実行ステップと
を実行し、
前記検証装置は、
前記シミュレーション実行ステップによる前記出力値が出力されたタイミングにおいて、各負荷における処理が実行されたか否かを該出力値に基づいて判定するための第１の基準と、前記記録材上で画像が形成される位置である画像形成領域が正当であるか否かを判定するための第２の基準と、を設定する第２の設定ステップと、
前記シミュレーション実行ステップによる時系列の前記出力値を参照し、該出力値のうち、前記転写部に前記記録材が到達するタイミングの算出基準となる信号を検出する信号検出ステップと、
前記信号検出ステップにより、前記信号が検出されると、前記記録材が転写部に到達するタイミングを算出し、算出されたタイミングにおいて、各負荷に対応する時系列の前記出力値を参照し、該出力値の各々が前記第１の基準を満たしているか否かを判定し、各負荷において処理が実行された期間を特定する第１の特定ステップと、
前記第１の特定ステップにより特定された各負荷の前記期間に基づいて、前記画像形成領域を特定する第２の特定ステップと、
前記第２の特定ステップにより特定された前記画像形成領域が、前記第２の基準を満たしているか否かを判定する判定ステップと、
前記判定ステップにより、前記第２の基準を満たしていると判定された場合には、前記シミュレーション装置によるシミュレーション結果が正当であることを示す情報を出力し、前記第２の基準を満たしていないと判定された場合には、前記シミュレーション装置によるシミュレーション結果が正当ではないことを示す情報を出力する出力ステップと
を実行することを特徴とする情報処理システムの制御方法。
【請求項１７】
記録材に対して画像形成を行う画像形成装置に含まれる複数の負荷の制御動作をシミュレーションするシミュレーション装置と、前記シミュレーション装置によるシミュレーションのログを検証する検証装置とを備える情報処理システムの制御方法であって、
前記シミュレーション装置は、
前記画像形成装置における画像形成条件をシミュレーション条件として設定する第１の設定ステップと、
前記シミュレーション条件に基づいて、記録材に画像を転写する転写部への記録材の搬送タイミングに合わせて前記画像形成装置の各負荷を制御する制御動作をシミュレーションし、該シミュレーションのログとして、各負荷の制御状態を示す出力値を時系列に出力するシミュレーション実行ステップと
を実行し、
前記検証装置は、
前記シミュレーション実行ステップによる前記出力値が出力されたタイミングにおいて、各負荷の前記出力値に変化が生じた際に、当該変化が生じたタイミングと該出力値とが正当であるか否かを判定するための第１の基準を設定する第２の設定ステップと、
前記シミュレーション実行ステップによる時系列の前記出力値を参照し、該出力値のうち、垂直同期信号を検出する信号検出ステップと、
前記信号検出ステップにより、前記垂直同期信号が検出されると、各負荷に対応する時系列の前記出力値を参照し、該出力値に変化が生じたことを検出する変化検出ステップと、
前記変化検出ステップにより前記出力値に生じた変化が検出されるごとに、当該変化のタイミングと、該出力値とが、前記第１の基準を満たしているか否かを判定する第１の判定ステップと、
前記第１の判定ステップによる判定の結果、前記出力値の時系列における全ての変化のタイミングと、各タイミングにおける全ての前記出力値とが、前記第１の基準を満たしていると判定された場合には、前記シミュレーション装置によるシミュレーション結果が正当であることを示す情報を出力し、前記出力値の時系列における何れかの変化のタイミング又は当該タイミングにおける前記出力値が、前記第１の基準を満たしていないと判定された場合には、前記シミュレーション装置によるシミュレーション結果が正当でないことを示す情報を出力する出力ステップと
を実行することを特徴とする情報処理システムの制御方法。
【手続補正２】
【補正対象書類名】明細書
【補正対象項目名】０００９
【補正方法】変更
【補正の内容】
【０００９】
本発明は、例えば、情報処理システムとして実現できる。情報処理システムは、記録材に対して画像形成を行う画像形成装置に含まれる複数の負荷の制御動作をシミュレーションするシミュレーション装置と、シミュレーション装置によるシミュレーションのログを検証する検証装置とを備える情報処理システムであって、シミュレーション装置は、画像形成装置における画像形成条件をシミュレーション条件として設定する第１の設定手段と、シミュレーション条件に基づいて、記録材に画像を転写する転写部への記録材の搬送タイミングに合わせて画像形成装置の各負荷を制御する制御動作をシミュレーションし、シミュレーションのログとして、各負荷の制御状態を示す出力値を時系列に出力するシミュレーション実行手段とを備え、検証装置は、シミュレーション実行手段による出力値が出力されたタイミングにおいて、各負荷における処理が実行されたか否かを出力値に基づいて判定するための第１の基準と、記録材上で画像が形成される位置である画像形成領域が正当であるか否かを判定するための第２の基準と、を設定する第２の設定手段と、シミュレーション実行手段による時系列の出力値を参照し、出力値のうち、転写部に記録材が到達するタイミングの算出基準となる信号を検出する信号検出手段と、信号検出手段により、信号が検出されると、記録材が転写部に到達するタイミングを算出し、算出されたタイミングにおいて、各負荷に対応する時系列の出力値を参照し、出力値の各々が第１の基準を満たしているか否かを判定し、各負荷において処理が実行された期間を特定する第１の特定手段と、第１の特定手段により特定された各負荷の期間に基づいて、画像形成領域を特定する第２の特定手段と、第２の特定手段により特定された画像形成領域が、第２の基準を満たしているか否かを判定する判定手段と、判定手段により、第２の基準を満たしていると判定された場合には、シミュレーション装置によるシミュレーション結果が正当であることを示す情報を出力し、第２の基準を満たしていないと判定された場合には、シミュレーション装置によるシミュレーション結果が正当ではないことを示す情報を出力する出力手段とを備えることを特徴とする。
【手続補正３】
【補正対象書類名】明細書
【補正対象項目名】００１０
【補正方法】変更
【補正の内容】
【００１０】
本発明は、例えば、情報処理システムとして実現できる。情報処理システムは、記録材に対して画像形成を行う画像形成装置に含まれる複数の負荷の制御動作をシミュレーションするシミュレーション装置と、シミュレーション装置によるシミュレーションのログを検証する検証装置とを備える情報処理システムであって、シミュレーション装置は、画像形成装置における画像形成条件をシミュレーション条件として設定する第１の設定手段と、シミュレーション条件に基づいて、記録材に画像を転写する転写部への記録材の搬送タイミングに合わせて画像形成装置の各負荷を制御する制御動作をシミュレーションし、シミュレーションのログとして、各負荷の制御状態を示す出力値を時系列に出力するシミュレーション実行手段とを備え、検証装置は、シミュレーション実行手段による出力値が出力されたタイミングにおいて、各負荷の出力値に変化が生じた際に、当該変化が生じたタイミングと出力値とが正当であるか否かを判定するための第１の基準を設定する第２の設定手段と、シミュレーション実行手段による時系列の出力値を参照し、出力値のうち、垂直同期信号を検出する信号検出手段と、信号検出手段により、垂直同期信号が検出されると、各負荷に対応する時系列の出力値を参照し、出力値に変化が生じたことを検出する変化検出手段と、変化検出手段により出力値に生じた変化が検出されるごとに、当該変化のタイミングと、出力値とが、第１の基準を満たしているか否かを判定する第１の判定手段と、第１の判定手段による判定の結果、出力値の時系列における全ての変化のタイミングと、各タイミングにおける全ての出力値とが、第１の基準を満たしていると判定された場合には、シミュレーション装置によるシミュレーション結果が正当であることを示す情報を出力し、出力値の時系列における何れかの変化のタイミング又は当該タイミングにおける出力値が、第１の基準を満たしていないと判定された場合には、シミュレーション装置によるシミュレーション結果が正当でないことを示す情報を出力する出力手段とを備えることを特徴とする。
【手続補正４】
【補正対象書類名】明細書
【補正対象項目名】００１３
【補正方法】変更
【補正の内容】
【００１３】
本発明は、例えば、情報処理システムの制御方法として実現できる。制御方法は、記録材に対して画像形成を行う画像形成装置に含まれる複数の負荷の制御動作をシミュレーションするシミュレーション装置と、シミュレーション装置によるシミュレーションのログを検証する検証装置とを備える情報処理システムの制御方法であって、シミュレーション装置は、画像形成装置における画像形成条件をシミュレーション条件として設定する第１の設定ステップと、シミュレーション条件に基づいて、記録材に画像を転写する転写部への記録材の搬送タイミングに合わせて画像形成装置の各負荷を制御する制御動作をシミュレーションし、シミュレーションのログとして、各負荷の制御状態を示す出力値を時系列に出力するシミュレーション実行ステップとを実行し、検証装置は、シミュレーション実行ステップによる出力値が出力されたタイミングにおいて、各負荷における処理が実行されたか否かを出力値に基づいて判定するための第１の基準と、記録材上で画像が形成される位置である画像形成領域が正当であるか否かを判定するための第２の基準と、を設定する第２の設定ステップと、シミュレーション実行ステップによる時系列の出力値を参照し、出力値のうち、転写部に記録材が到達するタイミングの算出基準となる信号を検出する信号検出ステップと、信号検出ステップにより、信号が検出されると、記録材が転写部に到達するタイミングを算出し、算出されたタイミングにおいて、各負荷に対応する時系列の出力値を参照し、出力値の各々が第１の基準を満たしているか否かを判定し、各負荷において処理が実行された期間を特定する第１の特定ステップと、第１の特定ステップにより特定された各負荷の期間に基づいて、画像形成領域を特定する第２の特定ステップと、第２の特定ステップにより特定された画像形成領域が、第２の基準を満たしているか否かを判定する判定ステップと、判定ステップにより、第２の基準を満たしていると判定された場合には、シミュレーション装置によるシミュレーション結果が正当であることを示す情報を出力し、第２の基準を満たしていないと判定された場合には、シミュレーション装置によるシミュレーション結果が正当ではないことを示す情報を出力する出力ステップとを実行することを特徴とする。
【手続補正５】
【補正対象書類名】明細書
【補正対象項目名】００１４
【補正方法】変更
【補正の内容】
【００１４】
本発明は、例えば、情報処理システムの制御方法として実現できる。制御方法は、記録材に対して画像形成を行う画像形成装置に含まれる複数の負荷の制御動作をシミュレーションするシミュレーション装置と、シミュレーション装置によるシミュレーションのログを検証する検証装置とを備える情報処理システムの制御方法であって、シミュレーション装置は、画像形成装置における画像形成条件をシミュレーション条件として設定する第１の設定ステップと、シミュレーション条件に基づいて、記録材に画像を転写する転写部への記録材の搬送タイミングに合わせて画像形成装置の各負荷を制御する制御動作をシミュレーションし、シミュレーションのログとして、各負荷の制御状態を示す出力値を時系列に出力するシミュレーション実行ステップとを実行し、検証装置は、シミュレーション実行ステップによる出力値が出力されたタイミングにおいて、各負荷の出力値に変化が生じた際に、当該変化が生じたタイミングと出力値とが正当であるか否かを判定するための第１の基準を設定する第２の設定ステップと、シミュレーション実行ステップによる時系列の出力値を参照し、出力値のうち、垂直同期信号を検出する信号検出ステップと、信号検出ステップにより、垂直同期信号が検出されると、各負荷に対応する時系列の出力値を参照し、出力値に変化が生じたことを検出する変化検出ステップと、変化検出ステップにより出力値に生じた変化が検出されるごとに、当該変化のタイミングと、出力値とが、第１の基準を満たしているか否かを判定する第１の判定ステップと、第１の判定ステップによる判定の結果、出力値の時系列における全ての変化のタイミングと、各タイミングにおける全ての出力値とが、第１の基準を満たしていると判定された場合には、シミュレーション装置によるシミュレーション結果が正当であることを示す情報を出力し、出力値の時系列における何れかの変化のタイミング又は当該タイミングにおける出力値が、第１の基準を満たしていないと判定された場合には、シミュレーション装置によるシミュレーション結果が正当でないことを示す情報を出力する出力ステップとを実行することを特徴とする。